(57)【特許請求の範囲】
【請求項１】
使用にあたって、認証情報による操作者の認証を行う処理装置であって、
操作者の操作の対象となる操作部と、
前記操作部を用いて操作者が入力した認証情報に対する認証成否を外部の認証サーバから取得する認証手段と、
認証が成功した認証情報と対になる固有の短縮コードを生成する生成手段と、
対になる短縮コードとともに認証情報を記憶する記憶手段と、
認証の成功に続いて、前記生成手段が生成した短縮コードとともに認証が成功した認証情報を前記記憶手段に記憶させるか否かの指示を操作者に要求する指示要求手段と、
を備え、
前記記憶手段が、対になる短縮コードとともに認証情報を記憶しているときに、記憶している認証情報と同じ認証情報に対する認証が成功し、前記指示要求手段の要求に応じて前記操作部に対する第１操作が行われると、対になる新たな短縮コードとともに認証が成功した認証情報を前記記憶手段に記憶させ、前記指示要求手段の要求に応じて前記操作部に対する第２操作が行われると、認証が成功した認証情報とともに既に記憶されている対となる短縮コードを維持するとともに、
前記認証手段は、
前記操作部を用いて操作者が入力した認証情報に代えて、前記操作部を用いて操作者が入力した短縮コードと対になる認証情報を前記記憶手段から読み出し、読み出した認証情報に対する認証成否を取得可能であることを特徴とする処理装置。
【請求項２】
請求項１に記載の処理装置において、
前記操作部を用いて認証情報及び短縮コードのいずれも入力可能となっており、
前記認証手段は、
前記記憶手段が、対になる短縮コードとともに認証情報を記憶しているときは、前記操作部を用いて操作者が入力した認証情報と、前記操作部を用いて操作者が入力した短縮コードと対になる認証情報とのいずれに対しても認証成否を取得可能であることを特徴とする処理装置。
【請求項３】
請求項１に記載の処理装置において、
前記記憶手段が、対になる短縮コードとともに認証情報を記憶しているときに、記憶している認証情報と同じ認証情報に対する認証が成功し、前記指示要求手段の要求に応じて前記操作部に対する第３操作が行われると、認証が成功した認証情報と同じ認証情報を前記記憶手段から削除することを特徴とする処理装置。
【請求項４】
請求項１に記載の処理装置において、
前記記憶手段が、対になる短縮コードとともに認証情報を記憶していないときに、認証情報に対する認証が成功し、前記指示要求手段の要求に応じて前記操作部に対する第４操作が行われると、対になる短縮コードとともに認証が成功した認証情報を前記記憶手段に記憶させ、前記指示要求手段の要求に応じて前記操作部に対する第５操作が行われると、対になる短縮コードとともに認証情報を記憶していない状態をそのまま維持することを特徴とする処理装置。
【請求項５】
請求項１に記載の処理装置において、
所定回数以上読み出されて認証成否の取得に用いられた認証情報を前記記憶手段から削除することを特徴とする処理装置。
【請求項６】
請求項１に記載の処理装置において、
記憶されてから所定時間以上が経過した認証情報を前記記憶手段から削除することを特徴とする処理装置。
【発明の詳細な説明】
【技術分野】
【０００１】
本発明は、使用にあたって、認証情報による操作者の認証を行う処理装置に関する。
【背景技術】
【０００２】
従来より、操作者が入力したＩＤ及びパスワードを含む認証要求をネットワーク経由で認証サーバへ送信し、認証サーバが返信した認証成否をネットワーク経由で取得し、認証が成功した場合のみ使用を許可するネットワーク認証機能を有するデジタル複合機（ＭＦＰ；Multi Function Peripherals）が用いられている。このようなデジタル複合機の中には、使用のたびにＩＤ及びパスワードを入力する手間を回避するために、認証が成功したＩＤ及びパスワードの代替として、あらかじめ入力しておいた短縮コードを入力できるようになっているものもある。
【０００３】
特許文献１は、本願に関係する先行技術文献であり、所定の期間が経過したときには、利用者にパスワードの変更を促し、強制的にパスワードの変更を実施させる技術を開示している。
【０００４】
【特許文献１】特開２００４−６２２８３号公報
【発明の開示】
【発明が解決しようとする課題】
【０００５】
しかし、従来のデジタル複合機では、既に入力されている短縮コードと重複しない短縮コードを決めて入力する必要があり、その手間が煩雑であった。
【０００６】
本発明は、この問題を解決するためになされたもので、短縮コードの入力の手間を減らすことができるデジタル複合機等の処理装置を提供することを目的とする。
【課題を解決するための手段】
【０００７】
上記課題を解決するため、請求項１の発明は、使用にあたって、認証情報による操作者の認証を行う処理装置であって、操作者の操作の対象となる操作部と、前記操作部を用いて操作者が入力した認証情報に対する認証成否を外部の認証サーバから取得する認証手段と、認証が成功した認証情報と対になる固有の短縮コードを生成する生成手段と、対になる短縮コードとともに認証情報を記憶する記憶手段と、認証の成功に続いて、前記生成手段が生成した短縮コードとともに認証が成功した認証情報を前記記憶手段に記憶させるか否かの指示を操作者に要求する指示要求手段とを備え、前記記憶手段が、対になる短縮コードとともに認証情報を記憶しているときに、記憶している認証情報と同じ認証情報に対する認証が成功し、前記指示要求手段の要求に応じて前記操作部に対する第１操作が行われると、対になる新たな短縮コードとともに認証が成功した認証情報を前記記憶手段に記憶させ、前記指示要求手段の要求に応じて前記操作部に対する第２操作が行われると、認証が成功した認証情報とともに既に記憶されている対となる短縮コードを維持するとともに、前記認証手段は、前記操作部を用いて操作者が入力した認証情報に代えて、前記操作部を用いて操作者が入力した短縮コードと対になる認証情報を前記記憶手段から読み出し、読み出した認証情報に対する認証成否を取得可能である。
【０００９】
請求項２の発明は、請求項１に記載の処理装置において、前記操作部を用いて認証情報及び短縮コードのいずれも入力可能となっており、前記認証手段は、前記記憶手段が、対になる短縮コードとともに認証情報を記憶しているときは、前記操作部を用いて操作者が入力した認証情報と、前記操作部を用いて操作者が入力した短縮コードと対になる認証情報とのいずれに対しても認証成否を取得可能である。
【００１０】
請求項３の発明は、請求項１に記載の処理装置において、前記記憶手段が、対になる短縮コードとともに認証情報を記憶しているときに、記憶している認証情報と同じ認証情報に対する認証が成功し、前記指示要求手段の要求に応じて前記操作部に対する第３操作が行われると、認証が成功した認証情報と同じ認証情報を前記記憶手段から削除する。請求項４の発明は、請求項１に記載の処理装置において、前記記憶手段が、対になる短縮コードとともに認証情報を記憶していないときに、認証情報に対する認証が成功し、前記指示要求手段の要求に応じて前記操作部に対する第４操作が行われると、対になる短縮コードとともに認証が成功した認証情報を前記記憶手段に記憶させ、前記指示要求手段の要求に応じて前記操作部に対する第５操作が行われると、対になる短縮コードとともに認証情報を記憶していない状態をそのまま維持する。
【００１１】
請求項５の発明は、請求項１に記載の処理装置において、所定回数以上読み出されて認証成否の取得に用いられた認証情報を前記記憶手段から削除する。
【００１２】
請求項６の発明は、請求項１に記載の処理装置において、記憶されてから所定時間以上が経過した認証情報を前記記憶手段から削除する。
【発明の効果】
【００１３】
請求項１ないし請求項６の発明によれば、短縮コードが生成手段により生成されるので、短縮コードとともに認証情報を記憶手段に記憶させるにあたって、短縮コードの入力の手間を省くことができる。
【００１５】
請求項２の発明によれば、認証情報及び短縮コードのいずれかを入力すれば認証を済ませることができるので、利便性が向上する。
【００１６】
請求項３の発明によれば、操作者が望む場合、認証情報が記憶手段から削除されるので、認証情報の秘密を守りやすくなる。
【００１７】
請求項５ないし請求項６の発明によれば、認証情報が記憶手段に記憶されたままになることを防止可能であるので、認証情報の秘密をさらに守りやすくなる。
【発明を実施するための最良の形態】
【００１８】
＜１  画像処理システムの全体構成＞
図１は、本発明の好ましい実施形態に係るデジタル複合機（ＭＦＰ；Multi Function Peripherals）１０（１１，１２）を含む画像処理システム１の全体構成を示すブロック図である。
【００１９】
図１を参照して説明すると、画像処理システム１は、デジタル複合機１０（１１，１２）と、クライアントコンピュータ２０（２１，２２）と、認証サーバ３０とを備える。なお、以下の説明では、２つのデジタル複合機を区別する必要がある場合は参照符号１１，１２を用い、区別する必要がない場合は参照符号１０を用いる。同様に、２つのクライアントコンピュータを区別する必要がある場合は参照符号２１，２２を用い、区別する必要がない場合は参照符号２０を用いる。
【００２０】
デジタル複合機１０、クライアントコンピュータ２０及び認証サーバ３０は、ＬＡＮ（Local Area Network）５０に接続され、相互に通信可能となっている。また、デジタル複合機１０は、公衆交換電話網（ＰＳＴＮ；Public Switched Telephone Networks）９１に接続されている。ＬＡＮ５０は、ルータ４０等のネットワーク機器を介してインターネット９２等の外部ネットワークと接続されている。
【００２１】
デジタル複合機１０は、コピーモード、ファックスモード、スキャナモード及びプリンタモードを有し、所定の処理を行うことができる処理装置としての役割を果たしている。
【００２２】
クライアントコンピュータ２０は、典型的には、パーソナルコンピュータである。
【００２３】
認証サーバ３０は、ＬＤＡＰ（Lightweight Directory Access Protocol）サービス等のディレクトリサービスを提供するサーバコンピュータである。
【００２４】
ここで、認証サーバ３０がＬＤＡＰサーバであるとして、認証処理及びオプション処理を行うときのデジタル複合機１０と認証サーバ３０との間の通信手順について、図２を参照しながら説明する。
【００２５】
認証処理を行う場合、まず、デジタル複合機１０から認証サーバ３０に対して結合操作（BIND Operation）７１が行われ、当該結合操作７１に応答して、認証サーバ３０からデジタル複合機１０へ結合結果（BIND Result）７２が返される。結合操作７１にあたっては、デジタル複合機１０から認証サーバ３０へ認証情報となるユーザＩＤ及びパスワードが送信され、認証サーバ３０は、ユーザＩＤ及びパスワードが適切である場合は、デジタル複合機１０へ"true"を返してデジタル複合機１０の結合を許可し、ユーザＩＤ及びパスワードが適切でない場合は、デジタル複合機１０へ"false"を返してデジタル複合機１０の結合を許可しない。すなわち、結合操作７１は、デジタル複合機１０から認証サーバ３０に対する認証要求となっており、結合結果（結合許否）は当該認証要求についての認証結果（認証成否）となっている。
【００２６】
認証処理に続いて、デジタル複合機１０と認証サーバ３０との間では、追加的に実行可能なオプション処理が実行される。オプション処理では、デジタル複合機１０から認証サーバ３０へは検索要求（Search）７３が送信され、当該検索要求７３に応答して、認証サーバ３０からデジタル複合機１０へレコード情報を含む検索結果（Search Result）７４が返される。このオプション処理は、１回だけ実行することもできるし、２回以上実行することもできる。
【００２７】
認証処理及びオプション処理の後、デジタル複合機１０から認証サーバ３０に対して結合解除操作（UNBIND Operation）７５が行われ、デジタル複合機１０と認証サーバ３０との間の一連の通信手順が終了する。
【００２８】
認証サーバ３０は、デジタル複合機１０のみならず、クライアントコンピュータ２０との間で同様の通信手順で認証処理及びオプション処理を行うことができる。
【００２９】
＜２  デジタル複合機の構成＞
図３は、本発明の好ましい実施形態に係るデジタル複合機１０の構成を示すブロック図である。
【００３０】
図３に示すように、デジタル複合機１０は、ＭＰＵ（マイクロプロセッサ；MicroProcessor Unit）１１１、ＲＯＭ１１２及びＲＡＭ１１３を備える。ＭＰＵ１１１、ＲＯＭ１１２及びＲＡＭ１１３によって実現されるマイクロコンピュータ１１０は、ＲＯＭ１１２に格納されたプログラムを実行することにより、デジタル複合機１０の各構成を統括制御し、デジタル複合機１０の各種機能を実現している。
【００３１】
デジタル複合機１０のフラッシュメモリ１２１は、記憶内容を書き換え可能な不揮発性メモリであり、継続的に保持すべき各種の情報を記憶する。また、デジタル複合機１０の画像メモリ１２２は、デジタル複合機１０が処理対象とする画像を画像データとして記憶する。
【００３２】
デジタル複合機１０は、画像読取部１２３及び画像記録部１２４を備える。画像読取部１２３は、ＣＣＤ（Charge Coupled Device）イメージセンサ等により原稿上の画像を読み取る。画像読取部１２３は、ＡＤＦ（Automatic Document Feeder）方式又はＦＢＳ（Flat Bed Scanner）方式により原稿上の画像を読み取ることができる。画像記録部１２４は、電子写真方式により、記録媒体上に画像を形成する。
【００３３】
デジタル複合機１０には、ユーザインターフェースとして、操作の対象となる操作部１２５と、情報を視認可能に表示する表示部１２６とが設けられる。デジタル複合機１０では、表示部１２６に液晶タッチパネルディスプレイが採用されており、表示部１２６が操作部１２５の一部を兼ね備えている。
【００３４】
ネットワークインターフェース１２７は、例えば、イーサネット（登録商標）により、デジタル複合機１０をＬＡＮ５０に接続する。
【００３５】
ＮＣＵ（網制御装置；Network Control Unit）１２８及びＭＯＤＥＭ（モデム；MOdulator DEModulator）１２９は、公衆交換電話網９１を経由した画像データの送受信に用いられる。ＮＣＵ１２８は、公衆交換電話網９１への接続を制御する。ＮＣＵ１２８は、通信先の電話番号に対応したダイヤル信号を送出する機能及び着信を検出する機能を備える。ＭＯＤＥＭ１２９は、ＩＴＵ（国際電気通信連合）−Ｔ勧告Ｔ.３０にしたがったファックス伝送制御手順に基づいて、Ｖ．１７，Ｖ．２７ｔｅｒ，Ｖ．２９等にしたがった送信データの変調及び受信データの復調を行う。又は、ＭＯＤＥＭ１２９は、これらに加えて、Ｖ．３４にしたがった送信データの変調及び受信データの復調を行う。
【００３６】
コピーモードでは、デジタル複合機１０は、画像読取部１２３が原稿上の画像を読み取って当該画像に係る画像データを生成し、画像記録部１２４が当該画像データに係る画像を記録媒体上に形成することにより、原稿から記録媒体へ画像をコピーする。
【００３７】
ファックスモードでは、デジタル複合機１０は、画像読取部１２３が原稿上の画像を読み取って当該画像に係る画像データを生成し、当該画像データを公衆交換電話網９１を経由して他のファックス装置へＧ３方式やスーパーＧ３方式により送信する。また、デジタル複合機１０は、他のファックス装置から公衆交換電話網９１を経由してＧ３方式やスーパーＧ３方式により送信されてきた画像データを受信し、画像記録部１２４に当該画像データに係る画像を記録媒体上に形成させる。
【００３８】
スキャナモードでは、デジタル複合機１０は、画像読取部１２３が原稿上の画像を読み取って当該画像に係る画像データを生成し、指定された保存先に当該画像データを保存する。
【００３９】
プリンタモードでは、クライアントコンピュータ２０からＬＡＮ５０を経由して送信されてきた画像データを受信し、画像記録部１２４に当該画像データに係る画像を記録媒体上に形成させる。
【００４０】
＜３  認証について＞
デジタル複合機１０は、使用にあたって、ユーザＩＤ及びパスワードによる操作者の認証を行う。さらに、デジタル複合機１０では、認証にあたって、ユーザＩＤ及びパスワードを入力することもできるし、ユーザＩＤ及びパスワードの代替となる短縮コードを入力することもできる。以下では、このようなデジタル複合機１０における認証について、図４〜図７を参照しながら説明する。
【００４１】
＜３．１  認証に関する構成＞
図４は、認証に関する構成を説明するブロック図である。図４の認証部１５１及び短縮コード生成部１５２は、マイクロコンピュータ１１０がプログラムを実行することにより実現される構成要素となっている。
【００４２】
図４を参照して、デジタル複合機１０の認証部１５１は、認証サーバ３０と通信を行い、認証手続を実行する。認証部１５１は、ユーザＩＤ及びパスワードを含む認証要求を認証サーバ３０へ送信し、ユーザＩＤ及びパスワードに対する認証結果を認証サーバ３０から取得する。
【００４３】
短縮コード生成部１５２は、認証が成功したユーザＩＤ及びパスワードと対になる短縮コードを生成する。短縮コード生成部１５２が生成する短縮コードは、フラッシュメモリ１２１に既に記憶（登録）されている短縮コードと重複しない固有の文字列となっているとともに、対になるユーザＩＤ及びパスワードの推定が困難な不規則な文字列となっている。短縮コード生成部１５２が生成した短縮コードは、対になるユーザＩＤ及びパスワードと対応づけられ、フラッシュメモリ１２１に記憶される。
【００４４】
デジタル複合機１０では、認証にあたって、操作部１２５を用いて操作者がユーザＩＤ及びパスワードを入力した場合、認証部１５１は、入力されたユーザＩＤ及びパスワードに対する認証結果を認証サーバ３０から取得する。
【００４５】
また、デジタル複合機１０では、操作部１２５を用いて操作者が短縮コードを入力した場合、認証部１５１は、当該短縮コードと対になるユーザＩＤ及びパスワードをフラッシュメモリ１２１から読み出し、読み出したユーザＩＤ及びパスワードに対する認証結果を認証サーバ３０から取得する。
【００４６】
＜３．２  主要な画面遷移＞
図５は、認証手続を行う場合に表示部１２６に順次表示される画面の主要な遷移を示す図である。
【００４７】
図５に示すように、認証手続にあたっては、最初に、ユーザＩＤ・パスワード入力画面８１又は短縮コード入力画面８２のいずれかが表示部１２６に表示される。ここで、ユーザＩＤ・パスワード入力画面８１は、ユーザＩＤ及びパスワードを入力するための画面となっており、短縮コード入力画面８２は、短縮コードを入力するための画面となっている。
【００４８】
デジタル複合機１０では、認証にあたって、ユーザＩＤ及びパスワードと、短縮コードとのいずれも入力可能とするために、キー（操作の対象となるソフトウエアキー、以下も同様）８１２及び８２２を用いた画面切り替え指示のキー入力により、表示部１２６に表示される画面を、ユーザＩＤ・パスワード入力画面８１と短縮コード入力画面８２との間で相互に切り替え可能である。ただし、ユーザＩＤ・パスワード入力画面８１及び短縮コード入力画面８２を別々の画面とすることは必須ではなく、１つの画面でユーザＩＤ及びパスワードと短縮コードとの両方を入力できる状態とし、その状態において、ユーザは、ユーザＩＤ及びパスワードと短縮コードとのいずれか一方を入力できる構成としてもよい。
【００４９】
ユーザＩＤ・パスワード入力画面８１でユーザＩＤ及びパスワードが入力され、キー８１１を用いた入力確定指示のキー入力が行われると、又は、短縮コード入力画面８２で短縮コードが入力され、キー８２１を用いた入力確定指示のキー入力が行われると、デジタル複合機１０は、認証処理を進める。そして、認証の成功に続いて、認証が成功したユーザＩＤ及びパスワードを短縮コードとともにフラッシュメモリ１２１に登録するか否かの指示を操作者に要求する登録要否指示画面８３又は８４が表示部１２６に表示される。ここで、登録要否指示画面８３は、認証が成功したユーザＩＤ及びパスワードがまだ登録されていない場合に表示され、登録要否指示画面８４は、認証が成功したユーザＩＤ及びパスワードが既に登録されている場合に表示される。
【００５０】
登録要否指示画面８３でキー８３１を用いた短縮コード発行要求のキー入力が行われると、又は、登録要否指示画面８３でキー８４１を用いた短縮コード発行要求のキー入力が行われると、表示部１２６には短縮コード発行画面８５が呼び出される。この短縮コード発行画面８５には、短縮コード生成部１５２が生成した短縮コードが表示される。
【００５１】
＜３．３  認証に関する動作＞
図６及び図７は、認証に関する処理の流れを説明するアクティビティ図である。
【００５２】
図６及び図７を参照して説明すると、デジタル複合機１０は、電源が投入されると、起動処理を行い（アクティビティＡ１０１）、認証にあたって短縮コードを操作者に入力させることが初期値となっている場合は、短縮コード入力画面８２を表示部１２６に表示し（アクティビティＡ１０２）、認証にあたってユーザＩＤ及びパスワードを操作者に入力させることが初期値となっている場合は、ユーザＩＤ・パスワード入力画面８１を表示部１２６に表示する（アクティビティＡ１０３）。ここで、短縮コード入力画面８２でキー８２２を用いて画面切り替え指示がキー入力されると、ユーザＩＤ・パスワード入力画面８１が表示部１２６に呼び出され（アクティビティＡ１０３）、ユーザＩＤ・パスワード入力画面８１でキー８１２を用いて画面切り替え指示がキー入力されと、短縮コード入力画面８２が表示部１２６に呼び出される（アクティビティＡ１０２）。
【００５３】
ユーザＩＤ・パスワード入力画面８１でキー８１１を用いて入力確定指示がキー入力されると、ユーザＩＤ・パスワード入力画面８１で入力された情報のチェックが行われる（アクティビティＡ１０４）。そして、入力された情報が無効である場合、例えば、使用が禁止されている文字が入力された情報に含まれる場合やユーザＩＤ及びパスワードのいずれかしか入力されていない場合、デジタル複合機１０は、入力された情報が無効である旨を操作者に通知する入力エラーを表示部１２６に表示し（アクティビティＡ１０５）、再びユーザＩＤ・パスワード入力画面８１を表示部１２６に表示する（アクティビティＡ１０３）。一方、入力された情報が有効である場合、デジタル複合機１０は、アクティビティＡ１０６へ移行する。
【００５４】
また、短縮コード入力画面８２でキー８２１を用いて入力確定指示がキー入力されると、認証部１５１が、短縮コード入力画面８２で入力された短縮コードと対になるユーザＩＤ及びパスワードがフラッシュメモリ１２１に登録されているか否かを検索する（アクティビティＡ１０７）。そして、検索結果がある場合、検索部１５３は、登録されているユーザＩＤ及びパスワードを読み出し（アクティビティＡ１０８）、しかる後に、デジタル複合機１０は、アクティビティＡ１０６へ移行する。一方、検索結果がない場合、短縮コードが登録されていない旨を操作者に通知する検索エラーを表示部１２６に表示し（アクティビティＡ１０９）、再び短縮コード入力画面を表示部１２６に表示する（アクティビティＡ１０２）。
【００５５】
続いて、認証部１５１が、ユーザＩＤ及びパスワードを含む認証要求を認証サーバ３０へ送信し（アクティビティＡ１０６）、当該ユーザＩＤ及びパスワードに対する認証結果を認証サーバ３０から受信する（アクティビティＡ１１０）。認証部１５１が認証要求に含めるユーザＩＤ及びパスワードは、操作者がユーザＩＤ・パスワード入力画面８１で入力したユーザＩＤ及びパスワード又は操作者が短縮コード入力画面８２で入力した短縮コードと対になるユーザＩＤ及びパスワードとなっている。
【００５６】
これらの一連の認証手続で認証が成功した場合は、デジタル複合機１０は、アクティビティＡ１１２へ移行し、認証が失敗した場合は、認証が失敗した旨を操作者に通知する認証エラーを表示部１２６に表示して（アクティビティＡ１１１）、再びユーザＩＤ・パスワード入力画面８１を表示部１２６に表示する。
【００５７】
認証の成功に続いて、デジタル複合機１０は、認証が成功したユーザＩＤ及びパスワードと対になる短縮コードとがフラッシュメモリ１２１に既に登録されているか否かを検索し（アクティビティＡ１１２）、登録がない場合、登録要否指示画面８３を表示部１２６に表示し（アクティビティＡ１１３）、登録がある場合、登録要否指示画面８４を表示部１２６に表示する（アクティビティＡ１１４）。
【００５８】
登録要否指示画面８３において、キー８３１を用いた短縮コードの発行を要求するキー入力が行われると、デジタル複合機１０は、短縮コード発行画面８５を表示部１２６に表示するとともに、対になる短縮コードとともに、認証が成功したユーザＩＤ及びパスワードをフラッシュメモリ１２１に対応づけて登録し（アクティビティＡ１１５）、キー８５１による終了操作の後に処理を終了する。
【００５９】
一方、登録要否指示画面８３において、キー８３２を用いた短縮コードの発行を要求しないキー入力が行われると、デジタル複合機１０は、ＲＡＭ１１３に一時的に記憶している、認証が成功したユーザＩＤ及びパスワードを、フラッシュメモリ１２１に記憶させることなく破棄し（アクティビティＡ１１６）、処理を終了する。
【００６０】
登録要否確認画面８４において、キー８４２を用いた短縮コードの継続使用を要求するキー入力が行われると、デジタル複合機１０は、そのまま処理を終了する。この場合、デジタル複合機１０では、フラッシュメモリ１２１に既に登録されている短縮コードを認証にあたって継続して入力可能である。
【００６１】
一方、登録要否確認画面８４において、キー８４１を用いた新規の短縮コードの発行を要求するキー入力が行われると、デジタル複合機１０は、認証が成功したユーザＩＤ及びパスワードと同じユーザＩＤ及びパスワードを、対になる短縮コードとともにフラッシュメモリ１２１から削除した後に（アクティビティＡ１１７）、短縮コード発行画面８５を表示部１２６に表示するとともに、対になる新たな短縮コードとともに、認証が成功したユーザＩＤ及びパスワードをフラッシュメモリ１２１に対応づけて登録し（アクティビティＡ１１５）、キー８５１による終了操作の後に処理を終了する。
【００６２】
また、登録要否確認画面８４において、キー８４３を用いた削除を要求するキー入力が行われると、デジタル複合機１０は、認証が成功したユーザＩＤ及びパスワードと同じユーザＩＤ及びパスワードを、対になる短縮コードとともにフラッシュメモリ１２１から削除した後に（アクティビティＡ１１７）、処理を終了する。
【００６３】
上述の構成及び処理の流れによれば、デジタル複合機１０では、短縮コードが短縮コード生成部１５２により自動的に生成されるので、対になる短縮コードとともにユーザＩＤ及びパスワードをフラッシュメモリ１２１に登録するにあたって、短縮コードの入力の手間を省くことができる。
【００６４】
また、デジタル複合機１０では、操作者が望む場合、ユーザＩＤ及びパスワードがフラッシュメモリ１２１に登録されないようにすることができるとともに、フラッシュメモリ１２１に既に登録されているユーザＩＤ及びパスワードをフラッシュメモリ１２１から削除することもできるので、ユーザＩＤ及びパスワードの秘密を守りやすくなる。
【００６５】
なお、このようなデジタル複合機１０において、対になる短縮コードとともにフラッシュメモリ１２１に記憶されているユーザＩＤ及びパスワードのうち、所定回数以上読み出されて認証部１５１による認証成否の取得に用いられたものを削除するようにすることにより、又は、フラッシュメモリ１２１に登録されてから所定時間が経過した認証情報をフラッシュメモリ１２１から削除するようにすることにより、ユーザＩＤ及びパスワードがフラッシュメモリ１２１に記憶されたままになることを防止可能であるので、ユーザＩＤ及びパスワードの秘密をさらに守りやすくなる。
【図面の簡単な説明】
【００６６】
【図１】本発明の好ましい実施形態に係るデジタル複合機１０を含む画像処理システム１の全体構成を示すブロック図である。
【図２】認証処理及びオプション処理を行うときのデジタル複合機１０と認証サーバ３０との間の通信手順を示す図である。
【図３】本発明の好ましい実施形態に係るデジタル複合機１０の構成を示すブロック図である。
【図４】認証に関する構成を説明するブロック図である。
【図５】認証手続を行う場合に表示部１２６に順次表示される画面の主要な遷移を示す図である。
【図６】認証に関する処理の流れを説明するアクティビティ図を示す図である。
【図７】認証に関する処理の流れを説明するアクティビティ図を示す図である。
【符号の説明】
【００６７】
１  画像処理システム
１０（１１，１２）  デジタル複合機
２０（２１，２２）  クライアントコンピュータ
３０  認証サーバ
５０  ＬＡＮ
８１  ユーザＩＤ・パスワード入力画面
８２  短縮コード入力画面
８３，８４  登録要否指示画面
８５  短縮コード発行画面
１１０  マイクロコンピュータ
１２１  フラッシュメモリ
１２５  操作部
１２６  表示部
１２７  ネットワークインターフェース
１５１  認証部
１５２  短縮コード生成部
１５３  検索部
【図１】
0004626464.tif 000002
【図２】
0004626464.tif 000003
【図３】
0004626464.tif 000004
【図４】
0004626464.tif 000005
【図５】
0004626464.tif 000006
【図６】
0004626464.tif 000007
【図７】
0004626464.tif 000008